(57)【要約】【課題】受信側の装置から出力される音声信号の音量を指定でき、同報通信に用いた音声信号を再利用できる同報通信システムを提供する。【解決手段】音声管理部１３６は、送信局装置１０が同報通信を行うたびに、ディジタル受信局２０およびアナログ受信局３０に送られた音声データを記憶し、管理する。音声制御部１３２は、ユーザの操作に従って、音声管理部１３６により記憶・管理されている音声データまたはマイクなどから入力される音声を示す音声データを送信する。編集処理部１３４は、ユーザの操作に従って、音声データそれぞれが送信される時刻およびその音量を示す編集データを作成し、編集データに従って音声制御部１３２を制御し、決められた時刻に決められた音量の音声データを送信する。【選択図】図１
2012054805.tif 000002
【特許請求の範囲】
【請求項１】
同報の対象となる１つ以上の音声信号を無線通信回線を介して送信する送信装置と、
それぞれ前記無線通信回線を介して送信された音声信号を受信して出力する複数の受信装置と
を有する同報通信システムであって、
前記送信装置は、
前記１つ以上の音声信号それぞれが、前記受信機から出力されるときの前記音量を記憶する音量記憶手段と、
前記１つ以上の音声信号それぞれを、前記記憶されたこの音声信号が出力されるときの音量で、この音声信号が受信機から出力されるように、前記無線通信回線を介して送信する送信手段と
を有する同報通信システム。
【請求項２】
同報の対象となる１つ以上の音声信号を無線通信回線を介して送信する送信装置と、
それぞれ前記無線通信回線を介して送信された音声信号を受信して出力する複数の受信装置と
を有する同報通信システムであって、
前記送信装置は、
前記音声信号の１つ以上を記憶する音声記憶手段と、
前記音声信号それぞれが送信される時刻を記憶する時刻記憶手段と、
前記記憶音声信号それぞれを、前記記憶されたこの音声信号が送信される時刻に、前記無線通信回線を介して送信する送信手段と
を有する同報通信システム。
【発明の詳細な説明】
【技術分野】
【０００１】
本発明は、１つの送信局から複数の受信局に音声信号を同報する同報通信システムに関する。
【背景技術】
【０００２】
例えば、特許文献１は、統制局と子局との間で無線通信を行う無線通信システムが開示されている。
【先行技術文献】
【特許文献】
【０００３】
【特許文献１】特開２０１０−６８３９０号公報
【発明の概要】
【発明が解決しようとする課題】
【０００４】
本願発明は、上述の背景からなされたものであって、受信側の装置から出力される音声信号の音量を指定でき、また、同報通信に用いた音声信号を再利用できるように改良された同報通信システムを提供することを目的とする。
【課題を解決するための手段】
【０００５】
上記目的を達成するために、本願にかかる第１の同報通信システムは、同報の対象となる１つ以上の音声信号を無線通信回線を介して送信する送信装置と、それぞれ前記無線通信回線を介して送信された音声信号を受信して出力する複数の受信装置とを有する同報通信システムであって、前記送信装置は、前記１つ以上の音声信号それぞれが、前記受信機から出力されるときの前記音量を記憶する音量記憶手段と、前記１つ以上の音声信号それぞれを、前記記憶されたこの音声信号が出力されるときの音量で、この音声信号が受信機から出力されるように、前記無線通信回線を介して送信する送信手段とを有する。
【０００６】
また、本願にかかる第２の同報通信システムは、同報の対象となる１つ以上の音声信号を無線通信回線を介して送信する送信装置と、それぞれ前記無線通信回線を介して送信された音声信号を受信して出力する複数の受信装置とを有する同報通信システムであって、前記送信装置は、前記音声信号の１つ以上を記憶する音声記憶手段と、前記音声信号それぞれが送信される時刻を記憶する時刻記憶手段と、前記記憶音声信号それぞれを、前記記憶されたこの音声信号が送信される時刻に、前記無線通信回線を介して送信する送信手段とを有する。
【発明の効果】
【０００７】
本発明にかかる同報通信システムによれば、受信側の装置から出力される音声信号の音量を指定でき、また、同報通信に用いた音声信号を再利用できる。
【図面の簡単な説明】
【０００８】
【図１】本発明にかかる同報通信システムの構成を示す図である。
【図２】図１に示した音声制御部が、送信局操作卓の表示装置に表示するユーザインターフェース（ＵＩ）画像を例示する図である。
【図３】図１に示した音声制御部が、送信局操作卓の表示装置に表示する音声メッセージ一覧表画面を例示する図である。
【図４】図４は、図１に示した編集処理部が、送信局操作卓の表示装置に表示するユーザインターフェース（ＵＩ）画像を例示する図である。
【図５】図５は、図４に示した番組編集画面を用いて得られた編集データを例示する図である。
【発明を実施するための形態】
【０００９】
図１は、本発明にかかる同報通信システム１の構成を示す図である。
図１に示すように、同報通信システム１は、送信局装置（統制局と呼ばれることがある）１０、それぞれ同報通信システム１０とディジタル無線回線を介して接続される１つ以上のディジタル受信局２０−１〜２０−ｎ（ｎは１以上の整数であって、常に同じ数を表すとは限らない）、および、それぞれ同報通信システム１０とアナログ無線回線を介して接続される１つ以上のアナログ受信局３０−１〜３０−ｎ（ディジタル受信局２０およびアナログ受信局３０は、子局、あるいは、屋外に設置された場合に屋外子局と呼ばれる場合がある）から構成される。
なお、以下、ディジタル受信局２０−１〜２０−ｎなど、複数あり得る構成部分を特定せずに記載するときには、ディジタル受信局２０などと略記することがある。
また、図１において、実質的に同じ構成部分には、同じ符号が付される。
【００１０】
送信局装置１０は、送信局制御部１２、ディジタル送信部１４およびアナログ送信部１６から構成される。
送信局制御部１２は、ＣＰＵ１２２、メモリ１２４および時刻を示すデータを提供するタイマなどの周辺回路（図示せず）を含む本体１２０、送信局操作卓１２６、ＦＤ，ＣＤ，ＤＶＤ，ＨＤなどの記録媒体１３０に対してデータを記録・再生する記録装置１２８から構成される。
送信局操作卓１２６は、プリンタ、テープレコーダなどの音声記録装置、外部音源からの音声を入力するために用いられるＡＵＸ端子、マイク、スピーカ、マウス（これらを図示せず）、表示装置およびキーボードなどを含む。
【００１１】
つまり、送信局制御部１２は、ソフトウェアを実行して、音声信号の記憶・再生およびディジタル送信部１４およびアナログ送信部１６の制御をすることができるコンピュータとしての構成部分を含んでいる。
図１に点線を付して示すように、送信局装置１０には、記録媒体１３０を介して同報通信のためのプログラム（音声制御部１３２、編集処理部１３４および音声管理部１３６など）が供給され、送信局装置１０は、供給されたプログラムを、そのハードウェア資源を具体的に利用して実行する（ただし、音声制御部１３２および編集処理部１３４は、送信局装置１０の構成によっては、専用のハードウェアとして実現されうる）。
また、記録装置１２８の記録媒体１３０またはメモリ１２４には、同報通信のために用いられる音声データ、通信データおよび編集データなどが記憶される。
【００１２】
ディジタル送信部１４は、送信局制御部１２と音声４Ｗ（４ワイヤーのアナログ音声ケーブル）とＲＳ２３２Ｃケーブルなどで接続され、ディジタル送信処理部１４０、ディジタル送信部１４２および送信用のアンテナ１８から構成される。
アナログ送信部１６は、音声２Ｗ（２ワイヤーのアナログ音声ケーブル）で送信局制御部１２に接続され、アナログ送信処理部１６０、アナログ送信部１６２およびアンテナ１８から構成される。
【００１３】
ディジタル受信局２０は、アンテナ１８、ディジタル受信部２００、マイクおよびスピーカ（拡声器）あるいはハンドセットなどを必要に応じて適宜、含み、音声信号の入出力に用いられる音声入出力部２０２、および、ＣＰＵ１２２およびメモリ１２４などを含み、情報処理を行うコンピュータとして動作しうるディジタルデータ処理部２０４から構成され、さらに、必要に応じてＬＣＤ表示装置、あるいは、屋外の広い場所に文字表示のために用いられる電光掲示板などの表示装置２０６が付加される。
アナログ受信局３０は、アナログ受信部３００および音声入出力部２０２から構成される。
【００１４】
同報通信システム１は、これらの構成部分により、送信局装置１０において、音声信号を無線通信回線を介してディジタル受信局２０およびアナログ受信局３０に対して同報通信のために送信し、ディジタル受信局２０およびアナログ受信局３０において、音声信号を受信し、送信局装置１０側で設定された音量で出力する。
また、同報通信システム１は、送信局装置１０において、同報通信のための１つ以上の音声信号を記憶し、音声信号それぞれに設定された送信時刻に、記憶された音声信号をディジタル受信局２０およびアナログ受信局３０に対して同報通信のために送信し、ディジタル受信局２０およびアナログ受信局３０において、音声信号を受信して出力する。
なお、同報通信システム１は、例えば、市町村単位で音声およびデータの同報通信を行う市町村同報通信システムとして用いられる。
【００１５】
送信局装置１０において、ディジタル送信処理部１４０は、送信局装置１０から入力された同報通信のための音声信号を示す音声データを、ディジタル送信部１４２などを介してディジタル受信局２０に対して送信するためのベースバンド信号に変換するための処理を行い、処理の結果として得られたベースバンド信号を、ディジタル送信部１４２に対して出力する。
また、ディジタル送信処理部１４０は、送信局装置１０から入力された音声信号以外の文字データなどのデータを、ディジタル送信部１４２などを介してディジタル受信局２０に対して送信するためのベースバンド信号に変換する処理を行い、処理の結果として得られたベースバンド信号を、ディジタル送信部１４２に対して出力する。
ディジタル送信部１４２は、ディジタル送信処理部１４０から入力されたベースバンド信号を、ディジタル無線通信回線に適合する周波数に変換して伝送信号とし、電力増幅して、アンテナ１８を介してディジタル受信局２０に対して送信する。
【００１６】
アナログ送信処理部１６０は、送信局装置１０から入力された同報通信のための音声信号を示す音声データを、アナログ形式の音声信号に変換するための処理を行い、処理の結果として得られた音声信号を、アナログ送信部１６２に対して出力する。
アナログ送信部１６２は、アナログ送信処理部１６０から入力された音声信号を、アナログ無線通信回線に適合する周波数に変換して伝送信号とし、電力増幅して、アンテナ１８を介してアナログ受信局３０に対して送信する。
【００１７】
ディジタル受信局２０において、ディジタル受信部２００は、送信局装置１０からディジタル無線通信回線およびアンテナ１８を介して伝送信号を受信し、伝送信号から音声信号を復調して、音声入出力部２０２を介してディジタル受信局２０のユーザに対して出力する。
また、ディジタル受信部２００は、送信局装置１０から、音声以外のデータが送られてきたときには、このデータを復調して、ディジタルデータ処理部２０４に対して出力する。
ディジタルデータ処理部２０４は、ディジタル受信部２００から入力された文字データを、表示装置２０６に対して表示するなどの処理を行う。
アナログ受信局３０において、アナログ受信局３００は、送信局装置１０からアナログ無線通信回線およびアンテナ１８を介して伝送信号を受信し、伝送信号から音声信号を復調して、音声入出力部２０２を介してアナログ受信局３０のユーザに対して出力する。
【００１８】
音声管理部１３６は、送信局操作卓１２６に対するユーザの操作に応じて、送信局操作卓１２６のマイクなどから入力され、同報通信の対象となる１つ以上の番組の音声信号を、メモリ１２４または記録装置１２８に、音声データとして記憶する。
また、音声管理部１３６は、送信された全ての音声信号の音声データを、メモリ１２４または記録装置１２８に、音声データとして自動的に記憶する。
また、音声管理部１３６は、記憶された音声データそれぞれに、音声データに対応する番組の識別子（番組番号；音声データのＩＤ）および、必要に応じて送信局操作卓１２６から入力され、その音声データの内容などを示す付加データ（番組の名称など）を付して管理する。
【００１９】
図２は、図１に示した音声制御部１３２が、送信局操作卓１２６の表示装置に表示するユーザインターフェース（ＵＩ）画像を例示する図である。
図３は、図１に示した音声制御部１３２が、送信局操作卓１２６の表示装置に表示する音声メッセージ一覧表画面５６を例示する図である。
音声制御部１３２は、ユーザの操作に応じて、送信局装置１０の送信局操作卓１２６にＵＩ画像（音声通報画面５（図２を参照して後述）および音声メッセージ一覧表画面５６（図３を参照して後述））を表示し、表示された音声通報画面５に対するユーザの操作を受け入れる。
【００２０】
図２に示すように、音声通報画面５は、音声メッセージ一覧表５００、上りチャイム用ボタン５０２、下りチャイム用ボタン５０４、音量上げ用ボタン５１０、音量下げ用ボタン５１２、マイクボタン５２２、テープボタン５２４、ＡＵＸボタン５２６、再生ボタン５３０、終話子機監視ボタン５４０および終話ボタン５４２を含み、ユーザによるマウスなどを用いたこれらのボタンに対する操作のために用いられる。
図３に示すように、音声メッセージ一覧表画面５６は、音声メッセージ一覧５６０、新規ボタン５６２、新規音声変換ボタン５６４、再生ボタン５６６、登録状況ボタン５６８、手動解除ボタン５７０、印字ボタン５７２、文字登録ボタン５７４および閉じるボタン５７６を含む。
音声通報画面５は、ユーザが、送信局操作卓１２６のマイクなどに入力した音声を送信するために用いられる。
【００２１】
音声通報画面５（図２）の音声メッセージ一覧表５００には、音声管理部１３６により記憶・管理されている音声データそれぞれのＩＤおよびその付加情報が一覧表示され、この一覧表示に対するユーザの操作に応じて、音声制御部１３２は、処理の対象とする音声データを選択する。
上りチャイム用ボタン５０２が押下されると、音声制御部１３２は、同報通信開始時に送信される上りチャイム用音声を送信するための処理を行う。
下りチャイム用ボタン５０４が押下されると、音声制御部１３２は、同報通信終了時に送信される下りチャイム用音声を出力させるための処理を行う。
音量上げ用ボタン５１０が押下されると、音声制御部１３２は、処理の対象とされた音声データをディジタル受信局２０およびアナログ受信局３０から出力されるときの音量を上げるための処理を行う。
音量下げ用ボタン５１２が押下されると、音声制御部１３２は、処理の対象とされた音声データをディジタル受信局２０およびアナログ受信局３０から出力されるときの音量を下げるための処理を行う。
【００２２】
マイクボタン５２２、テープボタン５２４およびＡＵＸボタン５２６は、これらのいずれかの押下に応じて、音声制御部１３２は、送信局操作卓１２６に含まれるマイク、音声記録装置およびＡＵＸ端子のいずれかから入力される音声を、記憶あるいは送信させるかを選択するための処理を行う。
再生ボタン５３０が押下されると、音声制御部１３２は、処理の対象とされた音声データを、メモリ１２４または記録装置１２８からディジタル送信処理部１４０およびアナログ送信処理部１６０に出力させるための処理を行う。
終話子機監視ボタン５４０が押下されると、音声制御部１３２は、ディジタル受信局２０およびアナログ受信局３０に対して、これらが正常に動作しているか否かを監視するための監視メッセージを送り、この監視メッセージに対して応答する機能を有するディジタル受信局２０およびアナログ受信局３０からの応答を受けて、ディジタル受信局２０およびアナログ受信局３０の動作確認を行う。
終話ボタン５４２が押下されると、音声制御部１３２は、送信局装置１０からディジタル受信局２０およびアナログ受信局３０への送信の終了、または、音声入力の終了のための処理を行う。
【００２３】
音声メッセージ一覧表画面５６（図３）は、ユーザが、音声データ（音声メッセージ）を編集し、登録し、確認し、通信データ（図１）を作成するために用いられる。
音声メッセージ一覧表画面５６の音声メッセージ一覧５６０には、音声管理部１３６に記憶・管理されている音声データ（音声メッセージ）それぞれのＩＤ、および、必要時応じて、その付加情報が一覧表示され、音声制御部１３２は、音声メッセージ一覧５６０に対する操作に応じて、音声制御部１３２が処理の対象とする音声データを選択する。
新規ボタン５６２が押下されると、音声制御部１３２は、音声メッセージ録音用画面（図示せず）を送信局操作卓１２６の表示装置に表示し、この画面に対する操作に応じて、音声メッセージを録音し、音声データとして記憶するための処理を行う。
新規音声変換ボタン５６４が押下されると、音声制御部１３２は、音声変換用画像（図示せず）を送信局操作卓１２６の表示装置に表示し、この画面に対する操作に応じて、音声変換による音声メッセージの作成のための処理を行う。
修正音声変換ボタン５６６が押下されると、音声制御部１３２は、音声変換変換用画像（図示せず）を送信局操作卓１２６の表示装置に表示し、この画面に対する操作に応じて、処理の対象とされた音声データ（音声メッセージ）から、音声変換により音声メッセージを作成するための処理を行い、音声変換のために必要な音声変換データを生成する。
再生ボタン５６８が押下されると、音声制御部１３２は、処理の対象とされた音声データ（音声メッセージ）を音声として送信局操作卓１２６のスピーカから出力するための処理を行う。
【００２４】
登録状況ボタン５７０が押下されると、音声制御部１３２は、処理の対象となっている音声データ（音声メッセージ）がいずれの番組で使用されているかを、音声メッセージ一覧５６０に表示するための処理を行う。
手動解除ボタン５７２が押下されると、音声制御部１３２は、処理の対象となっている音声データ（音声メッセージ）が、送信局操作卓１２６に対する操作（手動）により使用可能かどうかを表示するための処理を行う。
印字ボタン５７４が押下されると、音声制御部１３２は、音声メッセージ表示画面５６または音声メッセージ一覧５６０の表示内容をプリントアウトするための処理を行う。
文字登録ボタン５７６が押下されると、音声制御部１３２は、処理の対象とされた音声データ（音声メッセージ）の音声変換データを、文字データとして記憶するための処理を行う。
閉じるボタン５７６が押下されると、音声制御部１３２は、音声メッセージ一覧表画面５６を閉じる。
音声制御部１３２は、ユーザによる音声メッセージ一覧表画面５６に対する操作に従って、音声データをディジタル受信局２０およびアナログ受信局３０に送信し、さらに、この送信のためにディジタル送信処理部１４０、ディジタル送信部１４２、アナログ送信処理部１６０およびアナログ送信部１６２を制御するために用いられる通信データを作成し、メモリ１２４または記録装置１２８に記憶し、管理する。
【００２５】
図４は、図１に示した編集処理部１３４が、送信局操作卓１２６の表示装置に表示するユーザインターフェース（ＵＩ）画像を例示する図である。
編集処理部１３４は、ユーザの操作に応じて、送信局装置１０の送信局操作卓１２６にＵＩ画像（番組編集画面６）を表示し、表示された音声通報画面５に対するユーザの操作を受け入れる。
編集処理部１３４は、受け入れたユーザの操作に応じて、音声データそれぞれに対して、送信局装置１０からディジタル受信局２０およびアナログ受信局３０に送信（通報）される期間、送信が開始される時刻（通報開始時刻）および曜日、再送（リピート）の回数などの編集処理を行い、音声データに対応する番組の識別子（ＩＤ；番組番号）と対応付けて、メモリ１２４または記録装置１２８に、音声データそれぞれの編集データとして記憶する。
さらに、編集処理部１３４は、編集データの内容に従って、音声制御部１３２を制御し、編集データが示す態様で、音声データ、または、音声データまたは文字データを、送信局装置１０からディジタル受信局２０およびアナログ受信局３０に対して送信させる。
【００２６】
図４に示すように、番組編集画面６は、番組番号ボックス６００、番組名称ボックス６０２、番組通報期間スイッチ６１０、曜日ボックス６１２、メッセージ種別スイッチ６２０、再通報スイッチ６２２、再生メッセージボックス６３０、メッセージ順編集ボタン６３２、再生ボタン６３４、リピート回数ボックス６４０、呼出範囲スイッチ６５０、一時休止スイッチ６５２、呼出範囲ボタン６５４、屋外音量スイッチ６６０、子局（ディジタル受信局２０，アナログ受信局３０）監視スイッチ６６２、テレホンサービススイッチ６６４、時差通報スイッチ６６６、戸別録音スイッチ６６８、子局外部接点出力スイッチ６７０、登録ボタン６８０、編集クリアボタン６８２、印字ボタン６８４および閉じるボタン６８６を含む。
番組番号ボックス６００に対する番組番号の入力に応じて、編集処理部１３４は、処理の対象とする音声データおよびその付加データを選択し、番組名称ボックス６０２に、番組番号に対応する付加データに含まれる番組名称を表示する。
通報期間スイッチ６１０による無期限／期限の選択に応じて、編集処理部１３４は、処理対象の音声データが送信される期間を、無期限または期限付きとする。
【００２７】
曜日ボックス６１２に対する送信曜日の選択に応じて、編集処理部１３４は、処理対象の音声データが送信される曜日を決める。
メッセージ種別スイッチ６２０に対する文字／音声／文字＋音声の選択に応じて、編集処理部１３４は、ディジタル受信局２０に対して、文字データを含む伝送信号を送信するか、音声データを含む伝送信号を送信するか、あるいは、文字データおよび音声データを含む伝送信号を送信するかを決める。
【００２８】
再生メッセージボックス６３０は、送信局装置１０からディジタル受信局２０およびアナログ受信局３０に送信される１つ以上の音声データに対応する番組番号が入力され、さらに、メッセージ順編集ボタン６３２が押下されたときに、編集処理部１３４は、この再生メッセージボックス６３０に入力された番組番号に従って、音声データなどを送信する順番を決定する。
再生ボタン６３４が押下されると、編集処理部１３４は、音声制御部１３２を制御して、処理の対象となっている音声データなどを、送信局装置１０からディジタル受信局２０およびアナログ受信局３０に送信させる。
リピート回数ボックス６４０には、処理対象となっている音声データなどが何回繰り返して送信されるかを示す回数が入力され、編集処理部１３４は、リピート回数ボックス６４０に入力された数値に従って、音声データなどが何回繰り返して送信されるかを決定する。
【００２９】
呼出範囲スイッチ６５０は、トグルスイッチとなっていて、操作に応じて一括／群・戸別のいずれかが選択され、呼出範囲スイッチ６５０に対する選択操作に従って、アナログ送信部１６４は、処理の対象となっている音声データなどの送信先となるディジタル受信局２０を決定する。
呼出範囲スイッチ６５０により、群・個別が選択されたときには、呼出範囲ボタン６５４に対して、さらに送信先のディジタル受信局２０を選択のための操作が行われる。
呼出範囲の選択は、例えば、ディジタル受信局２０それぞれに個別の識別子を設定し、送信局装置１０からディジタル受信局２０への音声データなどに、音声データなどの送信先のディジタル受信局２０それぞれの識別子を示すデータを付加することにより、音声データなどに、予め設定され、音声データなどの送信先のディジタル受信局２０の識別子を複数、含むグループを示すデータを付加することにより、または、ディジタル受信局２０に、全てのディジタル受信局２０が送信先となっていることを示すデータを付加することにより行われる。
ディジタル受信局２０それぞれは、送信局装置１０から送られてきた音声データなどに付加された上述のデータを判定し、音声データなどを出力するか否かを判断し、その判断に従って、受信した音声データを出力し、あるいは、出力しない。
【００３０】
一時休止スイッチ６５２は、自動的な音声信号の送信（通報）を一時的に休止する設定の操作のためにに用いられる。
屋外音量スイッチ６６０は、例えば、屋外に置かれ、音声入出力部２０２に拡声器を含むディジタル受信局２０およびアナログ受信局３０から出力される音声信号の音量を設定するために用いられる。
屋外音量スイッチ６６０に対する大／中／小／強制音量／自動の選択に従って、編集処理部１３４は、ディジタル受信局２０およびアナログ受信局３０が受信した伝送信号から得られ、出力される音声信号の音量を決定する。
【００３１】
子局監視スイッチ６６２は、音声信号の送信（通報）後、ディジタル受信局２０およびアナログ受信局３０の監視を行うか否かを設定するために用いられる。
テレホンサービススイッチ６６４は、自動的に送信（通報）された音声データ（音声メッセージ）をテレホンサービス用の録音装置（図示せず）に録音するか否かを設定するために用いられる。
時差通報スイッチ６６６は、複数の屋外のディジタル受信局２０およびアナログ受信局３０から、大音量で音声データ（音声メッセージ）が出力されるときに、複数の屋外のディジタル受信局２０およびアナログ受信局３０から出力される音声が重なって、利用者に聞こえづらくならないように、複数の屋外のディジタル受信局２０およびアナログ受信局３０それぞれから音声を出力する時刻をずらす設定を行うために用いられる。
戸別録音スイッチ６６８は、自動的に送信（通報）される音声データ（音声メッセージ）を、戸別受信機（ディジタル受信局２０，アナログ受信局３０）に録音するか否かを設定するために用いられる。
子局外部接点出力スイッチ６７０は、音声データ（音声メッセージ）の自動的な送信先の戸別受信機（ディジタル受信局２０，アナログ受信局３０）の外部接点出力を起動するか否かを設定するために用いられる。
【００３２】
登録ボタン６８０が押下されると、編集処理部１３４は、番組編集画面６内の各ボックスおよび各スイッチに対する操作に応じて決定されたり選択されたりした事項を、編集データとしてメモリ１２４または記録装置１２８に記憶する。
編集クリアボタン６８２が押下されると、編集処理部１３４は、それまでになされた番組編集画面６内の各ボックスおよび各スイッチに対する操作を全て無効とする。
印字ボタン６８４が押下されると、編集処理部１３４は、番組編集画面６を記録装置１２８のプリンタから出力する。
閉じるボタン６８６は、番組編集画面６を閉じる操作を行うために用いられる。
【００３３】
図５は、図４に示した番組編集画面６を用いて得られた編集データを例示する図である。
なお、図５には、説明の明確化および具体化のために、番組編集画面６を用いて、編集データに、ｎ個の音声データそれぞれの送信時刻および音量が含まれる場合が示されている。
編集処理部１３４は、番組編集画面６に対するユーザの操作に応じて、図５に示すように、音声データ＃１〜＃ｎそれぞれのＩＤ（番組番号）と、編集の結果として得られた音声データの送信時刻と、ディジタル受信局２０およびアナログ受信局３０から出力される音声信号の音量を示すデータとを対応付けて、編集データとして、メモリ１２４または記録装置１２８に記憶する。
なお、図５に示すように、音量を示すデータの値は、１〜４の整数値をとり、このデータの値が１〜３のときには、それぞれ小さい音量、中程度の音量および大きな音量を示し、このデータの値が４のときには、ディジタル受信局２０およびアナログ受信局３０の最大音量（強制音量；ディジタル受信局２０およびアナログ受信局３０の音量設定のいかんを問わずに最大音量とする）を示す。
【００３４】
［同報通信システム１の第１の動作］
以下、同報通信システム１（図１など）の第１の動作を説明する。
ユーザが、送信局装置１０の送信局制御部１２に対して所定の操作を行うと、送信局制御部１２は、送信局操作卓１２６に、図２に示した音声通報画面５または図３に示した音声メッセージ一覧表画面５６を表示する。
ユーザは、例えば、音声通報画面５に対して操作を行い、マイクボタン５２２、テープボタン５２４またはＡＵＸボタン５２６を押下して、新たな番組の音声データを制作し、さらに再生ボタン５３０を押下する。
音声制御部１３２は、作成された新たな番組の音声データを、ディジタル受信局２０およびアナログ受信局３０に対して送信し，音声管理部１３６は、新たな番組の音声データに音声データのＩＤ（番組番号）を付し、さらに、必要に応じて番組名などの付加情報を付してをメモリ１２４または記録装置１２８に記憶し、管理する。
同様に、ユーザが新たな番組を制作し、音声制御部１３２が番組を送信するたびに、音声管理部１３６は、その番組の音声データを自動的に記憶し、管理する。
【００３５】
ユーザは、必要に応じて、音声メッセージ一覧表画面５６に対する操作を行い、音声データの編集、登録および確認などを行い、音声制御部１３２は、ユーザの操作に従って、通信データを作成し、メモリ１２４または記録装置１２８に記憶し、管理する。
ユーザが、音声管理部１３６により記憶され、管理されている音声データを送信しようとするときには、音声通報画面５の音声メッセージ一覧表５００に表示された音声データおよびその付加データを参照して、送信すべき音声データを選択し、再生ボタン５３０を押下する（図２）。
再生ボタン５３０が押下されると、音声制御部１３２は、音声管理部１３６から、ユーザにより選択された音声データを得て、この音声データに対応する通信データの内容に従ってディジタル送信処理部１４０、ディジタル送信部１４２、アナログ送信処理部１６０およびアナログ送信部１６２を制御し、得られた音声データをディジタル受信局２０およびアナログ受信局３０に対して送信し、同報通信を行う。
【００３６】
［同報通信システム１の第２の動作］
以下、同報通信システム１の第２の動作を説明する。
ユーザが、送信局装置１０の送信局制御部１２に対して所定の操作を行うと、送信局制御部１２は、送信局操作卓１２６に、図４に示した番組編集画面６を表示する。
編集処理部１３４は、番組番号の指定を受けると、番組編集画面６示したように、音声管理部１３６が記憶し、管理している音声データそれぞれの付加データに含まれる番組名称を、番組名称ボックス６０２に表示する。
編集処理部１３４は、ユーザの操作に応じて、番組名称ボックス６０２に表示された音声データに対する編集処理を行い、図５に示した編集データを作成し、メモリ１２４または記録装置１２８に記憶する。
【００３７】
編集処理部１３４は、例えば１秒間隔で、送信局制御部１２の送信局装置１０のタイマが提供する時刻を示すデータを参照し、図５に示した編集データにおける音声データそれぞれの送信時刻と比較する。
編集処理部１３４は、参照したデータが示す時刻と、編集データにおける時刻とが一致したときには、時刻が一致した音声データを、編集データが示す音量で送信するように、音声制御部１３２を制御する。
音声制御部１３２は、編集処理部１３４の制御に従って、編集データが示す時刻および音量で音声信号が出力されるように、音声データをディジタル受信局２０およびアナログ受信局３０に対して送信し、同報通信を行う。
なお、以上説明した同報通信システム１の第１の動作と第２の動作とは組み合わされうる。
【産業上の利用可能性】
【００３８】
本発明は、１つの送信局から複数の受信局に音声信号を同報する同報通信システムに利用できる。
【符号の説明】
【００３９】
１・・・同報通信システム，１０・・・送信局装置，１２・・・送信局制御部，１２０・・・本体，１２２・・・ＣＰＵ，１２４・・・メモリ，１２６・・・送信局操作卓，１２８・・・記録装置，１３０・・・記録媒体，１３２・・・音声制御部，１３４・・・編集処理部，１３６・・・音声管理部，２０・・・ディジタル受信局，２００・・・ディジタル受信部，２０２・・・音声入出力部，２０４・・・ディジタル受信制御部，２０６・・・表示装置，５・・・音声通報画面，５６・・・音声メッセージ一覧表画面，６・・・番組編集画面，
【図１】
2012054805.tif 000003
【図２】
2012054805.tif 000004
【図３】
2012054805.tif 000005
【図４】
2012054805.tif 000006
【図５】
2012054805.tif 000007